(57)【要約】あらかじめ情報毎に付与された電話番号やネーミング識別子を携帯メールのメール送信アドレスとして指定して送信するだけで、このメールの返信として前記電話番号やネーミング識別子に対応した情報を閲覧できる。
2002091192.tif 000002
【特許請求の範囲】
【請求項１】
ユーザが所有する表示機能を備えた携帯端末からの情報配信要求を受け付けてこれに対応する情報を配信する情報配信方法であって、
ユーザの携帯端末から情報毎に付与された識別子を宛先とした電子メールを送信するステップと、
情報毎に設定された識別子が付与された着信手段で前記電子メールを受信するステップと、
前記着信手段から識別子を取得することにより配信情報を特定するステップと、
前記着信手段のメール受信情報から前記ユーザの携帯端末に付与されたメールアドレスを取得するステップと、
前記メールアドレスを宛先とし、前記配信情報を本文とした情報配信メールを生成するステップと、
前記情報配信メールを前記ユーザの携帯端末に送信するステップと、
前記携帯端末において前記情報配信メールを受信して前記配信情報を表示するステップとからなる携帯端末を用いた情報配信方法。
【請求項２】
前記識別子は、文字、数字または記号の組み合わせで構成されている請求項１記載の携帯端末を用いた情報配信方法。
【請求項３】
前記配信情報は、情報提供サーバの配信情報が格納されたアドレスを記述したものである請求項１記載の情報配信方法。
【請求項４】
ユーザが所有する表示機能を備えた携帯端末からの情報配信要求を受け付けてこれに対応する情報を配信する情報配信サーバにおいて、
携帯端末上で情報毎に付与された識別子を宛先とした電子メールを、当該識別子に基づいて受信するステップと、
前記識別子から配信情報を特定するステップと、
前記電子メールから前記発信元の携帯端末に付与されたメールアドレスを取得するステップと、
前記メールアドレスを宛先とし、前記配信情報を本文とした情報配信メールを生成するステップと、
前記情報配信メールを前記携帯端末に送信するステップとからなる情報配信方法。
【請求項５】
ユーザが所有する表示機能を備えた携帯端末からの情報配信要求を受け付けてこれに対応する情報を配信する情報配信システムであって、
携帯端末上で情報毎に付与された識別子を宛先とした電子メールを受信する手段と、
前記受信手段から着信識別子を取得することにより配信情報を特定する手段と、
前記受信手段からのメール受信情報から前記携帯端末に付与されたメールアドレスを取得する手段と、
前記メールアドレスを宛先とし、前記配信情報を本文とした情報配信メールを生成する手段と、
前記情報配信メールを前記携帯端末に送信する手段とからなる情報配信システム。
【請求項６】
ユーザが所有する表示機能を備えた携帯端末からの情報配信要求を受け付けてこれに対応する情報を配信する情報配信サーバにおいて運用される情報配信プログラムであって、
発信元の携帯端末上で情報毎に付与された識別子を宛先とした電子メールを、当該識別子に基づいて受信するステップと、
前記識別子から配信情報を特定するステップと、
前記電子メールから前記携帯端末に付与されたメールアドレスを取得するステップと、
前記メールアドレスを宛先とし、前記配信情報を本文とした情報配信メールを生成するステップと、
前記情報配信メールを前記携帯端末に送信するステップとからなるコンピュータ実行可能な情報配信プログラム。
【請求項７】
ユーザが所有する表示機能を備えた携帯端末からの情報配信要求を受け付けてこれに対応する情報を配信する情報配信システムで用いられるメールサーバであって、
携帯端末上で情報毎に付与された識別子を宛先とした電子メールを受け付ける手段と、
前記識別子に基づいて端末間メールテーブルを検索して着信手段を特定する手段と、
前記で特定された着信手段に対して、前記着信手段が接続された情報配信サーバが配信情報を特定しかつ前記携帯端末に対して情報配信メールを送信できるように、前記携帯端末のメールアドレスを通知する手段とからなるメールサーバ。
【発明の詳細な説明】
技術分野
本発明は、携帯端末を用いた広告等の情報配信技術に適用して有効な技術に関する。
背景技術
広告毎に数桁の番号を付与してインターネット上でこの番号を指定するだけで所定の広告情報を閲覧可能な技術が知られている。
また、最近では、広告等の情報毎に電話番号を当てはめ、表示機能を備えた携帯端末を用いてこの情報に関連付けられた電話番号で発呼を行うと、サーバ側でこれに対応した広告コンテンツがフォーマットされた所定のＨＴＭＬファイルを電子メールとして発信携帯端末に返送して携帯端末上で広告コンテンツを表示させる技術も考えられている。
前記技術の場合、サーバ側の被呼システム側で発呼側の端末の発信者電話番号を認識してその電話番号に対して表示情報を返信するものであった。
そのため、このシステムでは、発呼側の携帯端末が所定の携帯キャリアに属するもので、かつメールアドレスが携帯電話番号をそのままメールアドレスとして登録してある場合に限られていた。
すなわち、電話番号の発呼により情報を配信するシステムでは、着信側のシステムにおいて発信電話番号しか認識できないため、発信側のドメイン（たとえば、ａｂｃ．ｎｅ．ｊｐ）が限定された携帯キャリアに対してしかメールの返信を行うことができなかった。
さらに、サーバ側のシステムでは発呼してきた携帯端末の電話番号を認識する必要があるため、ユーザが携帯端末を発信番号表示モードにしておかなければならなかった。このようにユーザが自分の電話番号を第三者に開示することは個人情報の流出にもつながるため、一般にはこのような情報配信システムは普及していないのが現状であった。
発明の開示
本発明は、ユーザが所有する表示機能を備えた携帯端末からの情報配信要求を受け付けてこれに対応する情報を配信する情報配信システムにおいて、まず、ユーザが携帯端末上で情報毎に付与された相手側の識別子を宛先とした電子メールを送信すると、この識別子に対応した着信装置がこの電子メールを受信する。この着信装置の識別子をもとに配信すべき配信情報を特定し、さらにこの着信装置のメール受信情報から前記携帯端末のメールアドレスを取得する。そして、前記メールアドレスを宛先とし、前記配信情報を本文とした情報配信メールを生成しこの情報配信メールを前記携帯端末に送信する。これにより、ユーザは着信装置に与えられた識別子を特定した電子メールを送信するだけでこの電話番号に割り当てられた情報を受信・表示させることができる。
ここで識別子とは、たとえば携帯電話等の携帯端末を着信装置とした場合、当該携帯端末に設定されたメールアドレスのドメインを除外した文字、数字、記号等を意味する。たとえば、携帯端末のメールアドレスが「０９０１２３４５６７８＠ａｂｃ．ｎｅ．ｊｐ」である場合、数字部分である「０９０１２３４５６７８」が識別子である。また、携帯端末のメールアドレスが「ｃｙｂｉｒｄ＠ａｂｃ．ｎｅ．ｊｐ」である場合、「ｃｙｂｉｒｄ」が識別子となる。同一のキャリア（通信会社）に所属している携帯端末同士ではドメイン名（前記の例では「＠ａｂｃ．ｎｅ．ｊｐ」の部分）を除外したネーミング（前記の例では「ｃｙｂｉｒｄ」の部分）のみでメールの送受信が可能である特性に着目したものである。
このように、本発明では、ユーザは自身の携帯端末を使って電話番号やネーミング等の識別子を宛先としたメールを送信するだけの作業で必要な情報を得ることができる。
発明を実施するための最良の形態
図１において、１はユーザが所有する携帯端末であり、この携帯端末１は、端末用メールサーバ３と接続可能であり、このメールサーバ３は、たとえばキャリアとしてのＡＢＣ会社のプロバイダサーバである。
このＡＢＣ会社のメールサーバ３に接続可能な携帯端末にはいずれもＡＢＣ会社のドメインに基づくアドレスが割り当てられている。同図において、携帯端末１には、「０９０１２３４５６７８＠ａｂｃ．ｎｅ．ｊｐ」というように、携帯端末固有の電話番号がアドレスとして設定されている。したがって、これらの各携帯端末は、インターネット上で唯一のアドレスを所有していることになる。なお、当該キャリア（ＡＢＣ会社）の配下の携帯端末同士の間では、ドメインを付加することなく電話番号のみでメールの送受信が可能である。端末用メールサーバ３には端末間メールのための端末間メールテーブル４を有している。
また、メールサーバ３が電話番号のかわりにネームアドレス、たとえば「ｃｙｂｉｒｄ＠ａｂｃ．ｎｅ．ｊｐ」というようなアドレスの設定を許可している場合には、当該キャリア（ＡＢＣ会社）の配下の携帯端末から前記ネームアドレスが付与された端末装置にメールを送信する場合、宛先としてドメインを除外したネーミング識別子「ｃｙｂｉｒｄ」のみを指定するだけでよい。
情報配信システム６は、汎用のコンピュータシステムで構成されており、着信専用端末５とインターフェース（Ｉ／Ｆ）を介して接続されている。そしてこの情報配信システム６は、機能部として着信端末番号抽出部６２と、配信データ読出部６３と、データベース６４と、メール生成部６５とで構成されている。
このコンピュータシステムはハードウエアとしてバス（ＢＵＳ）によって接続された中央処理装置（ＣＰＵ）と、メモリと、ハードディスク装置等で構成されており、前記各機能部は、ハードディスク装置にインストールされたプログラムを中央処理装置（ＣＰＵ）が読み込み実行することで実現される。また、データベース６４はハードディスク装置内に設定される。
メール発信サーバ７は、メール生成部６５で生成されたメールをヘッダに記載された宛先アドレスに送信する機能を有しており、前記情報配信システム６で生成された情報配信メールをインターネットで構成される汎用ネットワーク（ＮＷ）上に送信する機能を有している。
なお、この汎用ネットワーク（ＮＷ）にはドメインネームサーバ（ＤＮＳＶ）および広告提供サーバ（ＰＲ．ｃｏｍ）等が接続されている。
同図において、ユーザはまず新聞、テレビ、雑誌、路上広告等で広告媒体２を参照する。このとき広告媒体２には、当該広告に対応した電話番号またはネーミング識別子が付与されている。この電話番号は、従来のこの広告媒体２に関する詳細情報の問い合わせ電話番号と同じ感覚で表示されている。したがって、一見しただけでユーザが覚えやすい電話番号であることが好ましい。たとえば、本実施例の場合、「０９０１１１１５５５５」のような連続番号が多いものとする。なお、ユーザがこの電話番号を認識するのは視覚的な要因に限られずたとえばラジオ等での連呼を通じて聴覚的に認識してもよい。
一方、ネーミング識別子とは、ユーザが識別しやすい文字、数字、記号列を意味し、たとえば「ｃｙｂｉｒｄ」や「ｗｏｒｌｄｃｕｐ２００１」のようにアルファベット、数字、ひらがな、カタカナ、漢字または記号のいかなる組み合わせであってもよい。
これらの電話番号やネーミング識別子（以下、「識別子」と総称する）は新聞、テレビ、雑誌、路上広告等の広告媒体２に印刷される他、清涼飲料水のボトルのラベルの裏側に印刷されていてもよい。この場合、多数の種類の識別子を用意しておくことで「当たり」の属性を有する識別子と、「外れ」の属性を有する識別子とを用意しておくことができる。
ユーザが前記広告媒体に関する情報の入手を希望する場合には、まず自身が保有する携帯端末１ａ上でメール発信モードに切り換える。このメール発信モードでは宛先メールアドレス、メールタイトル、メール本文の３つの入力項目が表示されるのが通常であるが、ここでは宛先メールアドレスに前記電話番号「０９０１１１１５５５５」（または、ネーミング識別子「ｃｙｂｉｒｄ」や「ｗｏｒｌｄｃｕｐ２００１」）を入力するだけでよい。
このような処理は一見煩雑に見えるが、実際は▲１▼メール送信モードに切り換える、▲２▼宛先に電話番号を入力する、▲３▼送信するという３段階のステップを実行するだけであり、通常の電話番号を入力する発呼に比べてさほど複雑な作業とはならない。
ここで、携帯端末を用いたメールシステムについて簡単に説明すると、これは一種の電子メールシステムである。したがって、通常の電子メールと同様に宛先メールアドレスとして受信側の端末アドレス（０９０１１１１５５５５＠ＡＢＣ．ｎｅ．ｊｐ）を特定する必要があるが、同じキャリア（電話会社）に属する携帯端末間でのメール送受信については、ドメイン（＠ＡＢＣ．ｎｅ．ｊｐ）の記述を省略して電話番号（またはネーミング識別子）のみでよい。
ユーザが入力を完了し送信指示（通常の場合インターフェースとして画面に表示された「送信」ボタンを押すだけである）を行うと、この電子メールはまず端末用メールサーバ３に到着する。端末用メールサーバ３では、端末間メールテーブル４を生成し、この電子メール中から宛先となる端末電話番号を取得する。
次に、端末用メールサーバ３は、宛先メールアドレスとして特定された「０９０１１１１５５５５」の電話番号が割り当てられた携帯端末（ここでは着信専用端末５）に対して前記電子メールを送信する。
前記電話番号の付与された着信専用端末５では前記携帯端末１ａからの端末間メールを受信する。
この着信専用端末５は、情報配信システム６に接続しており、着信した電子メールを読み出すことが可能となっている。この情報配信システム６には図示は省略するが複数台の着信専用端末５が接続されている。
特定の着信専用端末５にメール着信がなされると、この電子メールが情報配信システム６に読み込まれてまず着信した着信専用端末５の電話番号（ここでは０９０１１１１５５５５）またはこの着信専用端末５に設定されたネーミング識別子が抽出される。
配信データ読出部６３では、この電話番号に対応した配信情報をデータベース６４から読み出す。この配信情報はＨＴＭＬ形式でフォーマットされた広告情報そのものであってもよいし、広告サーバのアドレス（ここではｈｔｔｐ：／／ｗｗｗ．ＰＲ．ｃｏｍ／ＰＲ．ｈｔｍｌ）を記述したＨＴＭＬファイルでもよいが、本実施例では後者とする。
メール生成部６５では、前記配信情報をメール本文とした配信情報メールを生成する。ここで、着信専用端末５から得た配信希望先の携帯端末１ａのメールアドレス（ここでは、０９０１２３４５６７８＠ＡＢＣ．ｎｅ．ｊｐ）を宛先アドレスとして設定する。このとき、メール生成部では、前記端末間メールでは省略されていたドメイン（＠ＡＢＣ．ｎｅ．ｊｐ）を付加する。これは当該配信情報メールを汎用ネットワーク（ＮＷ）を経由して送信するためである。なお、メール発信サーバ７を図示しない発信専用端末で置き換えることも可能である。この場合には前記携帯端末１ａと同じキャリアに属する携帯端末を発信専用端末として用いる。この場合には配信情報メールは端末間メールとして送信することができるため、ドメイン（＠ＡＢＣ．ｎｅ．ｊｐ）は省略してもよい。
配信情報メールにおいて、メールタイトルには任意の文面（ここでは、「資料請求ありがとうございます」）を挿入し、メール本文には前記配信情報（ここではｈｔｔｐ：／／ｗｗｗ．ＰＲ．ｃｏｍ／ＰＲ．ｈｔｍｌを記述したＨＴＭＬファイル）を挿入する。
このようにして組み立てられた配信情報メールは、メール発信サーバ７を介してネットワーク（ＮＷ）上に送出される。
このような配信情報メールは、まずドメインネームサーバ（ＤＮＳＶ）によって宛先アドレスが解析され、当該ドメインに対応するサーバ（ここでは端末用メールサーバ３）が特定され、このサーバを介して携帯端末１ａに着信される。
携帯端末１ａでは、当該配信情報メールを受信するとその配信情報が表示されるようになっている。ここでは当該配信情報が所定のアドレス（ｈｔｔｐ：／／ｗｗｗ．ＰＲ．ｃｏｍ／ＰＲ．ｈｔｍｌ）が指定されたＨＴＭＬファイルとなっているため、このアドレスを指定することにより当該アドレスで特定される広告サーバに接続される。この結果、広告サーバに蓄積された情報を携帯端末１ｂ上で表示させることができるようになっている。
なお、本実施例では、着信専用端末５と情報配信システム６とをインターフェースを介して接続した例で説明したが、着信専用端末５を省略することも可能である。この場合には情報配信システム６の内部に着信テーブルを設け、着信先となる電話番号（ここでは０９０１１１１５５５５）またはネーミング識別子に対するメールを識別できるようにして、情報配信システム６自身が端末用メールサーバ３あるいはメール発信サーバ７を介して携帯端末１ａからのメールを直接受信してもよい。
産業上の利用可能性
本発明は、ネットワーク接続可能な表示機能を備えた携帯電話等の携帯端末に対する広告配信や情報配信に利用できる。
【図面の簡単な説明】
図１は、本発明の一実施例であるシステム構成を示す図である。
【図１】
2002091192.tif 000003
【国際調査報告】
2002091192.tif 000004
2002091192.tif 000005
2002091192.tif 000006